(57)【要約】【課題】  本発明の課題は、電気泳動検査データ等の画像について、専門家の判定を効率的に行うための画像判定支援システムを提供することである。【課題を解決するための手段】  上記課題を解決するために本発明者らは鋭意研究を重ねた結果、まず泳動後の像をそのままデジタルカメラにて取り込む方法を採用した。これにより脱蛋白、染色、現像、プリントが不要となった。また、非染色での微細な像を鮮明に取り込めるように下部斜光光源を作成した。この光源に使用する蛍光灯の方向を画像の方向と垂直に配置することで乱反射を防ぎ、電子化画像の鮮明化に成功した。さらに、免疫電気泳動検査において泳動する検体の並び順について、1枚のプレートに効率よく配置するための自動化を達成した。これらを、通信ネットワークを介して配信・受信させる手段と組み合わせて本発明を完成した。【特許請求の範囲】
【請求項１】
電気泳動検査データの画像を、電子データ化するに際し、画像撮影に際し、光源を泳動プレートの泳動に対して縦方向に左右から照射し、無染色画像撮影することを特徴とする電気泳動検査データの画像電子データ化方法。
【請求項２】
電気泳動検査データの画像を、電子データ化するに際し、画像撮影に際し、光源を泳動プレートの泳動に対して縦方向に左右から照射し、無染色画像撮影された電気泳動検査データの画像電子データ。
【請求項３】
電気泳動検査データの画像を、電子データ化するに際し、画像撮影に際し、光源を泳動プレートの泳動に対して縦方向に左右から照射し、無染色画像撮影された電気泳動検査データの画像電子データを通信ネットワークを介して、判定者に配信し、受信した該データを表示手段によって表示し、表示された画像判定に基づき、判定者コメントを記事入力実行手段及び記事保存実行手段によって電子データ化し、保存された電子データを通信ネットワークを介して、配信者に返送される画像判定支援システム。
【発明の詳細な説明】
【技術分野】
【０００１】
この発明は、電気泳動検査データ等の遠隔地画像判定支援システムに関する。詳しくは、電気泳動検査データ等の画像について、専門家の判定を効率的に行うための画像判定支援システムに関する。
【背景技術】
【０００２】
臨床検査において、電気泳動は、血清タンパク質の分離に汎用される。また、免疫拡散法と組み合わせた免疫電気泳動法は、検体中の抗原又は抗体の検出に汎用されている。これにより、抗原の均一性、抗原数、抗原間交差反応性、抗体のクラス、サブクラスの検出、さらには患者血清中の種々のタンパク質の増減、異常、欠損の診断等に利用される。この検査は、たとえば、電気泳動により生じる沈降パターンによって判定される。この電気泳動などの沈降パターンは、画像として判定されるが、この画像は結果判定に際し医師等の専門家による判読を必要とする場合が生じる。その場合、泳動像そのものや、その写真を専門家に届け、分析してもらう必要がある。
従来これらの画像は写真撮影の後、現像、プリントを経て専門医の元へ搬送される。専門医は、届いた写真ならびに付随するデータを参照し適切な診断意見を記入して、依頼者へ返送する。しかし、この方法においては以下の問題を抱えていた。
【０００３】
1)判読用画像は移送されるため、あまり拡大出来ない。そのため小さくとも判読可能な写真を撮影するために一つの泳動プレートを何枚かに分けて撮影、プリントするなど、高度な技術を必要とした。
2)写真等の物理的移送には、紛失、盗難、データ漏洩等のトラブルの危険性が伴う。また、送付、返送の時間的ロスが生じる。
3)全て紙でのデータ管理であるため、検索、再発行等に時間がかかる。
4)ほとんどシステム化されていないため検体の並べ方、撮影順、報告書作成は全て手作業であった。
【発明の開示】
【発明が解決しようとする課題】
【０００４】
本発明の課題は、電気泳動検査データ等の画像について、専門家の判定を効率的に行うための画像判定支援システムを提供することである。
【課題を解決するための手段】
【０００５】
上記課題を解決するために本発明者らは鋭意研究を重ねた結果、まず泳動後の像をそのままデジタルカメラにて取り込む方法を採用した。これにより脱蛋白、染色、現像、プリントが不要となった。また、非染色での微細な像を鮮明に取り込めるように下部斜光光源を作成した。この光源に使用する蛍光灯の方向を画像の方向と垂直に配置することで乱反射を防ぎ、電子化画像の鮮明化に成功した。さらに、免疫電気泳動検査において泳動する検体の並び順について、1枚のプレートに効率よく配置するための自動化を達成した。これらを、通信ネットワークを介して配信・受信させる手段と組み合わせて本発明を完成した。
【０００６】
すなわち本発明は、
「１．電気泳動検査データの画像を、電子データ化するに際し、画像撮影に際し、光源を泳動プレートの泳動に対して縦方向に左右からに照射し、無染色画像撮影することを特徴とする電気泳動検査データの画像電子データ化方法。
２．電気泳動検査データの画像を、電子データ化するに際し、画像撮影に際し、光源を泳動プレートの泳動に対して縦方向に左右から照射し、無染色画像撮影された電気泳動検査データの画像電子データ。
３．電気泳動検査データの画像を、電子データ化するに際し、画像撮影に際し、光源を泳動プレートの泳動に対して縦方向に左右から照射し、無染色画像撮影された電気泳動検査データの画像電子データを通信ネットワークを介して、判定者に配信し、受信した該データを表示手段によって表示し、表示された画像判定に基づき、判定者コメントを記事入力実行手段及び記事保存実行手段によって電子データ化し、保存された電子データを通信ネットワークを介して、配信者に返送される画像判定支援システム。
」からなる。
【発明の効果】
【０００７】
本発明によって、臨床検査における電気泳動検査結果の評価判定が効率的に、しかも確実な判定が可能になった。
【発明を実施するための最良の形態】
【０００８】
本発明の臨床検査の態様は、以下のような工程を含む。
臨床検査用検体が収集され、各種予備検査がなされる。例えば、たんぱく質濃度等が測定される。得られた検体は、測定効率を上げるために、たんぱく質分画がおこなわれる。分画は、セルロースアセテート膜電気泳動等が適用される。分画された検体は、以下のような泳動カードが自動作成され自動配置される。
【０００９】
泳動カードとは、図１及び２に例示されるもので、電気泳動展開するための検体及び使用する抗体等の振り分け設計図である。各泳動カードは、各電気泳動プレートと１対１となる。そして、各泳動カードと各プレートは同じ番号が、受付順に通し番号で付与される。この番号の若い順に優先順で定めた方法で検体が配置される。図１によると、１〜１０の検体投入部があり、12月24日付け作成のカードでカードNo.321である。検体１には、12月16日受付のIDNo.PT-00041の試料が使われ、これが両溝の抗全ヒト血清（図中Wと表示)によって挟まれている。検体２は、患者検体ではなくノーマルコントロールである。この検体も同様に両溝の抗全ヒト血清（図中Wと表示)によって挟まれている。検体３は、12月19日受付のIDNo.PT-00045の試料が使われ、これが両溝の抗全ヒト血清（図中Wと表示)によって挟まれている。以下同様の意味である。
図２によると、１〜１０の検体投入部があり、12月24日付け作成のカードでカードNo.321である。検体１には、12月16日受付のIDNo.PT-00041の試料が使われ、これが両溝の抗全ヒト血清（図中Wと表示)によって挟まれている。検体２は、患者検体ではなくノーマルコントロールである。この検体も同様に両溝の抗全ヒト血清（図中Wと表示)によって挟まれている。検体３は、12月19日受付のIDNo.PT-00045の試料が使われ、これが両溝の抗全ヒト血清（図中Wと表示)によって挟まれている。検体４は、12月19日受付のIDNo.PT-00045の試料が使われ、これが片溝に抗全ヒト血清（図中Wと表示)及び片溝に抗IgG抗体（図中IgGと表示)によって挟まれている。検体５は、患者検体ではなくノーマルコントロールで、片溝に抗IgG抗体（図中IgGと表示)及び片溝に抗IgA抗体（図中IgAと表示)によって挟まれている。検体６は、12月19日受付のIDNo.PT-00045の試料が使われ、片溝に抗IgA抗体（図中IgAと表示)及び片溝に抗IgM抗体（図中IgMと表示)によって挟まれている。検体７は、患者検体ではなくノーマルコントロールで、片溝に抗IgM抗体（図中IgMと表示)及び片溝に抗κ抗体（図中κと表示）によって挟まれている。検体８は、12月19日受付のIDNo.PT-00045の試料が使われ、片溝に抗κ抗体（図中κと表示)及び片溝に抗λ抗体（図中λと表示)によって挟まれている。検体９は、患者検体ではなくノーマルコントロールで、片溝に抗λ抗体（図中λと表示)及び片溝には抗体の添加はない。１０は、空きである。
【００１０】
このような泳動カードの作成は、以下の優先順位で、この番号の若い順に検体を配置していく。
優先順位１  抗全ヒト血清のみのプレート（６検体の物）
1枚のプレートには検体穴、抗体溝それぞれ10個ずつ設定される。最も優先される配列は「抗全ヒト血清」のもの（依頼者の選択）だけで構成されるプレートとなる。この場合10個の検体穴は患者１、対象、患者２、患者３、対象、患者４、患者５、対象、患者６、空きの組み合わせ（順番）となる。「６検体の物」とは患者検体６であることを意味する。このプレートには、全ての溝に「抗全ヒト血清」が投入される。
【００１１】
優先順位２  抗全ヒト血清のプレート（２検体）＋特異抗体（５種類の抗体）
この組み合わせは以下となる。
患者１、対象、患者２、患者３
患者１と患者２に対しては「抗全ヒト血清」を溝に投入するが、患者３に対しては５種類の特異抗体を投入する組み合わせとなる。このケースは、図２と同じである。
【００１２】
優先順位３  抗全ヒト血清のプレート（２検体）＋ＢＪＰ(ベンス・ジョーズ蛋白質）（
５種類の抗体）
これも上記優先順位２の組み合わせと同じである。ＢＪＰ検査は５種類の抗体の組み合わせである。
【００１３】
優先順位４  ＢＪＰ＋特異抗体（４種類以下）
この組み合わせは以下の通りとなる。
患者１、患者２
患者１に対してはＢＪＰ検査（５種類の抗体投入）が、患者２に対しては４種類の抗体が投入され、対象は投入されない。
【００１４】
優先順位５  特異抗体＋特異抗体（上記でおさまらなかった組み合わせ）
この組み合わせはこれまでのパターンに収まらない物で構成される。従って検体数も、抗体数もまちまちの物の集まりである。
【００１５】
抗体の種類としては、抗全ヒト血清、抗IgG抗体、抗IgA抗体、抗IgM抗体、抗IgD抗体、抗IgE抗体、抗κ抗体、抗λ抗体、抗HP抗体であり、これらが所望により組み合わせて利用させる。
【００１６】
免疫電気泳動検査は、「抗全ヒト血清」、「特異抗体」、「BJP」の３つの種類があり、１日に合わせて数十件の検査がおこなわれる。これらに使用する特異抗体は、依頼者からの依頼に加えて、電気泳動処理側の便宜により、同時検査のために追加される検体分も合わせられる。これらを最も効率よくプレートに配置し、泳動枚数を減らすことが泳動カードを作成する上での重要ポイントである。その中で「抗全ヒト血清」の検査に最も高い優先順位をつける。これは「抗全ヒト血清」の泳動が最も乱れやすく、その後の判定に影響を及ぼすことより、出来るだけ先に泳動してきれいな泳動像を得るためである。先に泳動することは泳動に使用する試薬が「くたびれて」いないため、泳動像が乱れにくく、また写真撮影時も先に撮影することとなるため像が新鮮な内に撮影できからである。
【００１７】
上記の泳動カードで設計された配置は、自動制御手段によって、検体及び抗体の電気泳動プレートへの投入を可能とし、自動配置が達成される。次いで、電気泳動が行われ、抗原抗体反応が行われる。図３は、電気泳動展開図であり、電子データ化対象の画像を示す。電気泳動プレートにおいて、上から各検体は、患者A、対象、患者B、患者C、患者C、患者C、患者C、患者C、患者C、及び空欄であり、これの各々を挟む配置で各溝に抗全ヒト血清、抗全ヒト血清、抗全ヒト血清、抗全ヒト血清、抗IgG抗体、抗IgA抗体、抗IgM抗体、抗κ抗体、抗λ抗体が配置されている。電子画像撮影のための光源は、従来の上下からではなく、泳動に対して縦方向に左右から照射される。これにより、従来は溝全体が光ってしまうという現象から、画像判定に困難があり、溝に水等を入れて撮影するという煩雑があったが、このような煩雑な工程なく、白黒画像で図３に示すような明瞭な電気泳動画像のデータ化を可能にした。図３において、抗体投入溝の左右両端部分のみが光っているのが確認できる。また、本発明は、泳動画像の撮影のために染色という操作を必要としない。
【００１８】
撮影は、いわゆるデジタルカメラを使い、コンピュータの制御下で撮影し、画像の電子データ化のために取り込み手段を使い、同時にディスプレイ上で画像の照合手段を行う。一プレート、一撮影、一画像であり、各照合が容易である。照合手段処理された画像の電子データは、システム内の泳動カード情報との関連づけ手段によって、泳動カード情報を元に個々の患者ごとに画像の切断、整理を自動で行う。整理調整された画像電子化データは、通信ネットワークを介して、判定者に配信される。判定者は、受信した該データを表示手段によって表示し、表示された電子化画像の判定を行う。この画像判定に基づき、判定者コメントを記事入力実行手段で入力し、さらに記事保存実行手段によって電子データ化し、保存し、この保存された電子データを通信ネットワークを介して、配信者に返送される。返送された画像及び記事は、報告書出力調整手段により調整され、さらに出力手段によって報告書が印書される。この報告書は、そのまま所望の関係者への配布に使用可能である。
【００１９】
図４は、判定者に送られる画像データであり、個人情報、関連データ及び目的の電気泳動の電子画像が含まれる。電子画像は各スクローリングにより、上下、左右に移動可能である。さらに、縮小・拡大タブにより、電子画像の拡大及び縮小が可能である。画面の下部考察欄には、判定者が、適宜入力保存手段によって、自由なコメントを記載でき、また、図４下部の定型コメントタブを選択すれば図５が表示され、これに示すような定型コメントのマスをクリックすることによっても判定を示すことができる。図４下部の診断完了タブをクリックすることでデータの確定ができる。
データの確定が終わったのち、記事保存実行をおこない、配信者にデータの返送が通信ネットワークを介しておこなわれる。なお、判定作業は、患者単位で行われ、図４右下の前患者・次患者のタブをクリックすることで、次患者への移行が容易に達成できる。
図５は、定型コメント欄であり、予め予定された判定結果を示す。OKタブをクリックすれば、定型コメントが図４画面に反映される。
【００２０】
図６及び図７は、最終的に調整された報告書である。図６は、抗ヒト全血清による免疫電気泳動による患者血清（受付番号10000353）についての報告書である。個人情報、関連情報が整理され表示されており、考察欄には、前記判定者のコメントが表示される。図７は、各種特異抗体についてのによる免疫電気泳動による患者血清（受付番号10000358）についての報告書である。結果欄には、判定者コメントが表示される。
【００２１】
以上のような本発明からなるシステムは、通信ネットワークを介した、電子画像データのやり取りを可能し、電気泳動検査データ判定作業の効率化・確実化を達成し電気泳動画像判定支援システムを構築した。
【図面の簡単な説明】
【００２２】
【図１】泳動カード
【図２】泳動カード
【図３】電気泳動図
【図４】判定者への送付データ画面
【図５】定型コメント画面
【図６】報告書
【図７】報告書
【図１】
2006064398.tif 000002
【図２】
2006064398.tif 000003
【図５】
2006064398.tif 000004
【図３】
2006064398.tif 000005
【図４】
2006064398.tif 000006
【図６】
2006064398.tif 000007
【図７】
2006064398.tif 000008